(57)【特許請求の範囲】
【請求項１】
上向き冷却空気流出開口（２０）を有する成形機セクションボックス（１２）と、
前記セクションボックスより上に配置され、金型開位置と金型閉位置との間で移動できる金型アーム（２２又は２４）と、
前記セクションボックス、及び前記金型アームによって支持される少なくとも１つのガラス製品用金型（２６、２８）に冷却空気を送出するための前記流出開口の上に位置し、前記金型アームによって支持され、前記セクションボックスの前記冷却空気流出開口と整合した冷却空気流入開口（３６）を有する空気マニホールド（３２又は３４）と、
前記流出開口の上に位置してセクションボックスに移動可能に取り付けられ、前記流出開口と整合したバルブプレート開口（４４）を有するバルブプレート（４０）と、を含み、
前記バルブプレートは、前記バルブプレートの位置、及び前記バルブプレート開口と前記流出開口との重なりが、前記金型閉位置と前記金型開位置との間の前記金型アームの運動に応じて変化するように、前記金型アームに作動的に連結されている、ガラス製品成形機。
【請求項２】
前記バルブプレート（４０）は、金型アームの運動が開閉方向の初期運動中バルブプレートに伝達されないように、ロストモーションカップリング（４６、４８）によって前記金型アーム（２２又は２４）に作動的に連結される、請求項１に記載のガラス製品成形機。
【請求項３】
前記ロストモーションカップリングは、前記バルブプレート及び前記マニホールドの内の一方にスロット（４６）を含み、前記バルブプレート及び前記マニホールドの内の他方に、前記スロット内に配置されるピン（４８）を含む、請求項２に記載のガラス製品成形機。
【請求項４】
前記金型アーム（２２又は２４）は、前記金型閉位置と金型開位置との間の枢軸運動可能に支持され、前記スロット（４６）は弓形である、請求項３に記載のガラス製品成形機。
【請求項５】
前記マニホールド（３２又は３４）は、前記マニホールドの下面に圧力プレート（３８）を含み、前記空気流入開口（３６）は前記圧力プレートに配置され、少なくとも１つのスプリング（６０）が前記圧力プレートを前記バルブプレートに押し付ける、請求項１に記載のガラス製品成形機。
【請求項６】
一対の前記金型アーム（２２、２４）と、前記金型アームの各々によって支持される空気マニホールド（３２、３４）と、前記マニホールドの各々の下に位置する圧力プレート（３８）と、前記圧力プレートの各々の下に位置するバルブプレート（４０）と、を含み、
前記それぞれの金型アーム、それぞれのマニホールド、それぞれの圧力プレート、及びそれぞれのバルブプレートは、互いの鏡像である請求項５に記載のガラス製品成形機。
【請求項７】
冷却空気流出開口（２０）を有する成形機セクションボックス（１２）と、前記セクションボックスより上に配置され且つ金型開位置と金型閉位置との間で移動可能な少なくとも１つの金型支持アーム（２２又は２４）と、冷却空気を前記流出開口から前記金型支持アームに送出するための手段と、を含むガラス製品成形機において、前記手段は、
前記セクションボックスに、軸線を中心に枢動するように取り付けられ、前記セクションボックスの前記流出開口と整合する前記バルブプレート開口（４４）を有するバルブプレート（４０）と、
前記バルブプレートの上に位置し、前記金型支持アームに取り付けられ、前記バルブプレートの前記バルブプレート開口と整合する圧力プレート開口（３６）を有する圧力プレート（３８）と、
前記セクションボックス上の前記バルブプレートを、前記金型開位置と金型閉位置との間の前記金型支持アームの運動の機能として枢動させる、前記バルブプレートと前記圧力プレートとの間のカップリング（４６、４８）と、を含むことを特徴とするガラス製品成形機。
【請求項８】
前記カップリング（４６、４８）は、ロストモーションカップリングである、請求項７に記載のガラス製品成形機。
【請求項９】
前記圧力プレートは、前記バルブプレートに接して取り付けられている、請求項７に記載のガラス製品成形機。
【請求項１０】
前記圧力プレートを前記バルブプレートに押し付ける少なくとも１つのスプリング（６０）を含む請求項９に記載のガラス製品成形機。
【発明の詳細な説明】
【技術分野】
【０００１】
本開示は、ガラス製品成形機の金型への冷却空気の供給に係わり、特に、金型位置の機能としてガラス製品用金型に冷却空気を供給することに関する。
【背景技術】
【０００２】
ガラス製品成形機のガラス製品用金型は、典型的には金型アームに設置され、金型アームは、ガラス製品用金型のセグメントが互いから間隔を隔てられる開位置と、金型セグメントがガラス製品金型を形成するように接合される閉位置との間で移動でき、典型的には枢動可能である。空気のような冷却流体が、金型セグメントに向けられて運転中金型を冷却する。
【発明の概要】
【発明が解決しようとする課題】
【０００３】
本開示の一般的な目的は、ガラス製品成形機の金型に冷却空気を供給するための簡単且つ安価な装置、特に、金型に供給される冷却空気の量を、金型アームの開位置、金型アームの閉位置、及び／又は開位置と閉位置の間の金型アームの位置で、容易に最適化することができる装置を提供することである。
【０００４】
本開示は、互いとは別々に実施することができ、又は互いに組み合わせて実施することができる多くの側面を例示する。
【課題を解決するための手段】
【０００５】
本開示の１つの側面によるガラス製品成形機は、上方に向いた冷却空気流出開口を有する成形機セクションボックスを含む。少なくとも１つの金型支持アームが、セクションボックスより上に配置され、金型開位置と金型閉位置との間で移動できる。空気マニホールドが、セクションボックス、及び金型アームによって支持される少なくとも１つの金型に冷却空気を送出するための流出開口の上に位置して、金型アームによって支持される。マニホールドは、セクションボックスの冷却空気流出開口と整合された冷却空気流入開口を有する。バルブプレートは、セクションボックスに、セクションボックス流出開口の上に位置して移動可能に取り付けられる。バルブプレートは、流出開口と整合されたバルブプレート開口を有する。バルブプレートは、バルブプレートの位置、及び流出開口とバルブプレート開口との重なりが、金型閉位置と金型開位置との間の金型アームの運動で変化するように、金型アームに作動的に連結される。バルブプレートは、好適には、ロストモーションカップリングによって金型アームに連結される。
【０００６】
本開示の別の側面によるガラス製品成形機は、冷却空気流出開口を有する成形機セクションボックスと、セクションボックスより上に配置され且つ金型開位置と金型閉位置との間で移動できる少なくとも１つの金型支持アームと、冷却空気を流出開口から金型アームに送出するための手段と、を含む。開示のこの側面による成形機は、冷却空気を送出するための手段が、セクションボックスに軸線を中心に枢動するように取り付けられ且つセクションボックスの流出開口と整合するバルブプレート開口を有するバルブプレートを含むことを特徴とする。圧力プレートが、バルブプレートの上に位置して金型支持アームに取り付けられ、バルブプレート開口と整合する圧力プレート開口を有する。バルブプレートと圧力プレートとの間のカップリングが、冷却空気がバルブプレートと圧力プレートを通り抜けて金型支持アームに連続的に供給されるように、セクションボックスの上のバルブプレートを、金型開位置と金型閉位置との間の金型支持アームの運動の機能として枢動させる。カップリングは、好適には、金型アームの運動が開方向又は閉方向のいずれかの方向の初期運動中バルブプレートに伝達されないような、ロストモーションカップリングである。
【０００７】
開示は、それらの追加の目的、特徴、利点、及び側面と共に、以下の説明、添付の特許請求の範囲及び添付の図面から最もよく理解されるであろう。
【図面の簡単な説明】
【０００８】
【図１】開示の実施形態による金型冷却空気供給装置を具体化するガラス製品成形機のブロー成形部分の部分斜視図である。
【図２】図１のブロー成形ステーションの部分的な部分断面図である。
【図３】開示の実施形態によるガラス製品用金型冷却空気供給装置を特徴付ける、図１及び図２のブロー成形用金型ステーションの部分分解斜視図である。
【図４】金型アームが金型閉位置にある図１及び図３の実施形態の冷却空気マニホールド及び冷却空気供給装置の平面図である。
【図５】図４の平面図と同様であるが、金型アームが半開位置にある平面図である。
【図６】図４及び図５の平面図と同様であるが、金型アームが全開位置にある平面図である。
【図７】実質的に図４の線７−７に沿った部分断面図である。
【発明を実施するための形態】
【０００９】
図１乃至図３は、本開示の実施形態による金型冷却空気供給装置を備えたガラス製品成形機のブロー成形用金型ステーション１０を示す。成形機セクションボックス１２が、セクションボックスの内部が高い空気圧であるように、しばしば冷却風と称される冷却空気の適当な供給装置に接続される。セクションボックス１２は、一対のタワー１４、１６を有するのがよい。タワー１４、１６は中空であり、それぞれの上端板１８で終わっている。冷却空気流出開口２０が、各端板１８に形成される。タワー１４、１６、端板１８、及び流出開口２０は、好適には、互いの鏡像である。一対の金型アーム２２、２４は、各々、少なくとも１つのそれぞれのガラス製品金型セクション２６、２８を支持する。図１及び図２に示したガラス製品金型セクションの閉位置において、金型セクションは、協働してガラス製品金型に金型キャビティ３０を形成する。金型アーム２２、２４は、図１及び図２に示す金型閉位置と、ガラス製品の成形品を取り出すために金型セクションが互いから間隔を隔てられる金型開位置との間の移動のために、ピボットポスト３１のような、適当な構造体に取り付けられる。金型アームを選択的に開閉するための典型的な構造は、米国特許出願公開2008/0282739A1号明細書に開示されている。
【００１０】
冷却空気をセクションボックス１２から受け、その冷却空気を金型セクション２６、２８内の冷却空気通路に送出するための一対の空気マニホールド３２、３４が、それぞれの金型アーム２２、２４によって支持されている。（図面に示した具体的な金型セクションの構成や金型セクションの冷却空気通路の構成は、単なる例示である。）マニホールド３２、３４は、好適には、互いの鏡像である。各マニホールド３２、３４は、タワー端板１８の関連した冷却空気流出開口２０と整合され且つ冷却空気出口２０の上に位置する下向き冷却空気流入開口３６を備えたシェル３７を有する。例示的な実施形態では、このマニホールド冷却空気流入開口は、マニホールドシェル３７の下側に取り付けられた圧力プレート３８に形成される。各圧力プレート３８の下には、圧力プレートと関連したタワー端板１８との間に、バルブプレート４０がある。各バルブプレート４０は、関連したピボットピン４２によって、その下に位置する端板１８に取り付けられ、そのため、各バルブプレートは、その下に位置する端板１８に対して、関連したピン４２の軸線を中心に枢動する。各バルブプレート４０は、下にある流出開口２０の上に重なり且つ流出開口２０と整合される、関連したバルブプレート開口４４を有する。
【００１１】
各バルブプレート４０は、組立状態で、金型アームピボットポスト３１（図１及び図２）の軸線と同心である弓形スロット４６を有する。ピン４８が、各圧力プレート３８からその下に位置するバルブプレート４０のスロット４６の中に下方に延びる。圧力プレートを関連したバルブプレート４０に対して付勢する少なくとも１つのスプリング６０（図７）が、マニホールドシェル３７とその下に位置する圧力プレート３８との間に作動的に配置される。図７に示すように、圧力プレート３８は、好適には、一対のボルト６２によって、マニホールドシェル３７の下に吊り下げられ、ボルトの頭部６４は、圧力プレート３８の関連したポケット６６に受け入れられている。コイルスプリング６０は、各ボルト６２のシャンクを取り囲み、圧力プレート３８をマニホールドシェル３７に関して下方に付勢してバルブプレート４０の対向面に圧接させる。圧力プレート開口３６は、空気漏れを低減するためにマニホールドシェル３７の底壁の開口５０に受け入れられる上方に延びるリップ４９によって取り囲まれるのがよい。それぞれのバルブプレート４０及び圧力プレート３８は、好適には、互いの鏡像であり、それぞれの圧力プレート３８は、好適には互いの鏡像である。
【００１２】
ガラス製品用金型冷却空気供給装置の作動が図４乃至図６に関して最もよく示されている。金型アームが図１及び図２に示した金型全閉位置にあると、マニホールドシェル及び様々なプレートは、図４に示した位置にある。各バルブプレート開口４４は、（圧力プレート３８の）関連したマニホールド流入開口３６と整合して重なる。金型アームが図４の全閉位置から図５の中間位置を通って図６の全開位置に向かって移動する時、圧力プレート３８のピン４８は、バルブプレートのスロット４６に沿って移動するが、最初はバルブプレートを移動させない。このロストモーション中、冷却空気は、セクションボックスから整合したプレート開口及びマニホールドを通ってガラス製品金型に流れ続ける。図５の位置から図６の位置に向かって、全開位置に向かう金型アームのさらなる作動中、ピン４８はスロット４６の端に係合し（図５参照）、バルブプレート４０を、各々のピン４２を中心に枢動させる。その後、金型アームが図６の全開位置から図４の全閉位置に向かって移動する時、ピン４８は、最初はバルブプレート４０のスロット４６内を移動し、その結果、そのような最初の閉鎖運動中バルブプレートが移動しないので、プレート間のロストモーションが再度存在する。ピン４８がバルブプレート４０のスロット４６の端に到達した後、全閉位置に向かう金型アームのさらなる運動が、各々のバルブプレート４０を図４の全閉位置に向かって枢動させる。
【００１３】
セクションボックスとガラス製品用金型との間の冷却空気の流れは、金型アームの運動中様々なプレートの開口を通り抜ける空気流れの断面によって制御される。図面に示した開示の例示的な実施形態では、プレートの開口は、好適には、ガラス製品用金型への冷却空気流れが、全閉位置と全開位置との間の作動中、並びに全閉及び全開位置で、実質的に一定のままであるようになっている。しかし、プレートの開口のサイズ及び／又は寸法を変更することによって、異なる空気流量制御方式を実現することができる。
【００１４】
かくして、上述した全ての目的を完全に満たすガラス製品用金型冷却空気供給装置を開示した。開示は、例示的な実施形態に関連して提示され、変更及び変形が議論された。その他の変更及び変形は、上記の説明に照らして、当業者にとって明らかであろう。
【図１】
0005636090.tif 000002
【図２】
0005636090.tif 000003
【図３】
0005636090.tif 000004
【図４】
0005636090.tif 000005
【図５】
0005636090.tif 000006
【図６】
0005636090.tif 000007
【図７】
0005636090.tif 000008